(57)【要約】【課題】光計測プローブが装着されるホルダの頭部への装着と固定が容易で、かつ位置調整が容易な光計測プローブ固定具を提供する。【解決手段】本発明の光計測プローブ固定具１は、光計測プローブが装着されるホルダ２０と、被検者の頭部の外周に装着される少なくとも半環状のフレーム１０とフレーム１０の内側空間に架け渡して固定された帯状又は紐状のホルダバンド２５とを有してなり、ホルダ２０は、ホルダバンド２５の長手方向に移動可能にホルダバンド２５に係合してなることを特徴とする。【選択図】  図１
2016067482.tif 000002
【特許請求の範囲】
【請求項１】
光計測プローブが装着されるホルダと、被検者の頭部の外周に装着される少なくとも半環状の固定具本体と、前記固定具本体の内側空間に架け渡して固定された帯状又は紐状のホルダ保持部材とを有してなり、
前記ホルダは、前記ホルダ保持部材の長手方向に移動可能に前記ホルダ保持部材に係合されてなる光計測プローブ固定具。
【請求項２】
前記ホルダ保持部材は、前記固定具本体に着脱自在に引掛けて固定するフックを両端に有していることを特徴とする請求項1に記載の光計測プローブ固定具。
【請求項３】
前記固定具本体は、延在方向に沿って形成された複数の突起を有し、
前記ホルダ保持部材は、前記固定具本体の突起に引掛けて固定する輪が両端に設けられていることを特徴とする請求項1に記載の光計測プローブ固定具。
【請求項４】
前記ホルダは、光計測プローブ装着部と、前記ホルダ保持部材が挿通される係合穴とが形成された基材を有してなることを特徴とする請求項1乃至３のいずれか一項に記載の光計測プローブ固定具。
【請求項５】
前記ホルダ保持部材は、該ホルダ保持部材の長さを調整する長さ調整具を備えてなることを特徴とする請求項1乃至４のいずれか一項に記載の光計測プローブ固定具。
【請求項６】
前記固定具本体は、前頭部から側頭部に延在される一対の左右フレームと、前記一対の左右フレームの一端を互いに連結するヒンジと、前記一対の左右フレームの他端を着脱自在に連結する柔軟性を有する帯部材とで環状に形成されてなることを特徴とする請求項1乃至５のいずれか一項に記載の光計測プローブ固定具。
【請求項７】
前記固定具本体は、前頭部に接する柔軟性を有する部材からなる前頭部フレームと、該前頭部フレームに連結されて側頭部にわたって延在される一対の左右フレームと、前記一対の左右フレームの後端を着脱自在に連結する柔軟性を有する帯部材とで環状に形成されてなることを特徴とする請求項1乃至５のいずれか一項に記載の光計測プローブ固定具。
【請求項８】
前記固定具本体は、前頭部から左右の側頭部の耳の後まで延在させて弾性部材で形成された半環状のフレームを備えてなることを特徴とする請求項１乃至５のいずれか一項に記載の光計測プローブ固定具。
【請求項９】
前記固定具本体は、前頭部に位置される部分から側頭部に位置される部分に連なるフレームを備え、前頭部に位置される部分のフレームの頭部高さ方向の位置が、側頭部に位置される部分の位置よりも高い位置になるように曲折部を有して形成されていることを特徴とする請求項１乃至５のいずれか一項に記載の光計測プローブ固定具。
【請求項１０】
前記固定具本体は、側頭部に位置される左右フレームを備え、前記左右フレームは、後頭部側の一端に、耳の後の頭部に接する曲げ部を備えてなることを特徴とする請求項１乃至５のいずれか一項に記載の光計測プローブ固定具。
【請求項１１】
計測光を発生する光源と、該光源から発生された計測光を光計測プローブに導く入射導光路と、前記光計測プローブにより検出された光を受光素子に導く検出導光路と、該受光素子で受光した検出光を処理して計測データを生成する情報処理装置とを備え、
前記光計測プローブは、請求項１乃至１０のいずれか一項に記載の光計測プローブ固定具に装着されてなることを特徴とする生体光計測装置。
【請求項１２】
前記情報処理装置は、前記計測データを表示する表示部と、情報を入力する入力部を備え、前記入力部から前記固定具本体に固定された前記ホルダ保持部材の固定位置情報が入力されたとき、前記固定位置情報を前記計測データに対応付けて記憶し、前記計測データとともに前記表示部に前記固定位置情報を表示することを特徴とする請求項１１に記載の生体光計測装置。
【発明の詳細な説明】
【技術分野】
【０００１】
本発明は、光計測プローブ固定具に係り、具体的には、光計測プローブが装着されるホルダを被検者の頭部に装着する光計測プローブ固定具及びこれを用いた生体光計測装置に関する。
【背景技術】
【０００２】
生体光計測装置は、光トポグラフィを利用して被検者の脳などの生体機能等を計測して診断する装置などに用いられている。例えば、レーザダイオードなどの光源で発生した計測光を入射光ファイバ（入射導光路）の先端から頭部の皮膚面に照射し、脳などで散乱、吸収された光を皮膚面に近接して設けた検出光ファイバ（検出導光路）の先端で検出して受光素子（光電変換素子）に導き、入射光と検出光間の吸光度などに基づいて脳機能を診断する。
【０００３】
生体光計測においては、入射導光路と検出導光路との先端の離隔距離は重要なパラメータである。そこで、入射導光路を構成する入射光ファイバと出射導光路を構成する検出光ファイバの先端部の光計測プローブをホルダに装着して、計測モードに適した所定の間隔に保持するようにしている。例えば、特許文献１等に記載されているように、ホルダは、シリコーンゴムなどの柔軟な材料により形成された平板状又は凹板状の基材の一面に、複数のプローブ装着部を備えて形成される。各プローブ装着部は、正格子の頂点又は菱形格子の頂点に配置される。このホルダの所定のプローブ装着部に、入射光ファイバと検出光ファイバの先端を挿入して装着し、それらの先端を頭部の皮膚面に接触又は近接して保持可能に形成されている（特許文献１〜３参照）。
【０００４】
また、ホルダは、被検者の頭部の計測したい位置に合わせて、頭部に固定して装着することが重要である。特許文献２、３には、ホルダを頭部に装着して固定する種々の光計測プローブ固定具が提案されている。例えば、特許文献２では、伸縮可能な布により形成された帯状の装着具本体にホルダを取付け、ホルダの位置を頭部の計測位置に合わせて装身具本体を被検体の頭部に巻付け、装着具本体の両端に接続された一対のベルトをバックルで締め付けて頭部に固定するようになっている。さらに、装着具本体の両端に接続された帯状の一対の延長部を後頭部で結合して締め付けている。また、装着具本体の２点間に架け渡された複数の調整紐を設け、それらの調整紐をホルダのスリット等に係合させて、ホルダを頭部に固定することができるようになっている。
【０００５】
一方、特許文献３には、布又はゴム製のキャップ状に形成したシェルプレートにホルダを取り付けた光計測プローブ固定具が提案されている。これによれば、シェルプレートを被検体の頭部に被せることにより、ホルダを頭部の所定位置に固定することができる。
【先行技術文献】
【特許文献】
【０００６】
【特許文献１】特許第４０９０６９９号
【特許文献２】特許第４４０８８７８号
【特許文献３】特許第４９３７９１６号
【発明の開示】
【発明が解決しようとする課題】
【０００７】
特許文献２，３に記載の光計測プローブ固定具によれば、被検者ごとに異なる頭部の大きさ形状に応じて適宜調整して、ホルダを頭部の所望位置に装着して固定することができる。特に、特許文献３に記載のキャップ状のシェルプレートを用いた光計測プローブ固定具によれば、比較的簡単にホルダを頭部に装着固定できる。
【０００８】
しかし、被検者ごとに異なる頭部の大きさ形状に応じて適宜調整する作業は、自由に調整できる反面、煩雑である。例えば、ベルトの設置場所及び設置方法には慣れや熟練度が必要であるから、未熟な術者にとってはホルダを頭部に装着固定する作業が煩雑である。他方、キャップ状の光計測プローブ固定具は装着固定が比較的簡単であるが、被検者の頭部の大きさと形状には個体差があるため、綿密な位置の調整等は困難であるから個別に製作する必要がある。
【０００９】
ホルダの装着位置の再現性、調整、固定が不十分な場合、計測の精度が安定しないという問題がある。また、ホルダの装着及び固定に時間がかかると、被検者への負担が大きくなる。
【００１０】
本発明が解決しようとする課題は、光計測プローブが装着されるホルダの頭部への装着と固定が容易で、かつ位置調整が容易な光計測プローブ固定具を提供することにある。
【課題を解決するための手段】
【００１１】
上記の課題を解決するため、本発明の光計測プローブ固定具は、光計測プローブが装着されるホルダと、被検者の頭部の外周に装着される少なくとも半環状の固定具本体と、前記固定具本体の内側空間に架け渡して固定された帯状又は紐状のホルダ保持部材とを含んでなり、前記ホルダは、前記ホルダ保持部材の長手方向に移動可能に前記ホルダ保持部材に係合してなることを特徴とする。
【００１２】
本発明によれば、固定具本体の内側空間に架け渡して固定されたホルダ保持部材の長手方向にホルダを移動可能に係合したことから、光計測プローブ固定具を被検者の頭部に装着すると、ホルダ保持部材の張力に応じた力でホルダが被検者の頭部の表面に密着させることができる。これにより、光計測プローブが頭部表面に接触又は近接して保持固定されるから、ホルダの頭部への装着と固定を容易に行うことができる。また、ホルダをホルダ保持部材の長手方向に移動させることができ、かつホルダ保持部材を架け渡す固定具本体の位置をずらすことができるから、頭部に対するホルダの位置調整を容易に行うことができる。これらのことから、本発明によれば、熟練度にかかわらず、計測用プローブの位置を所望の頭部位置に確実に調整できるから、計測の再現性を満たすことができる。
【発明の効果】
【００１３】
本発明によれば、光計測プローブが装着されるホルダの頭部への装着と固定が容易で、かつ位置調整が容易な光計測プローブ固定具を提供することができる。
【図面の簡単な説明】
【００１４】
【図１】本発明の光計測プローブ固定具の実施例１の構成を示す図である。
【図２】実施例１のフレームの斜視図である。
【図３】図２の線III−IIIにおける断面図である。
【図４】実施例１のホルダ保持部材の部分詳細図である。
【図５】実施例１のフレームの突起の変形例を示す図である。
【図６】実施例１のホルダ保持部材とフレームとの係合部の変形例を示す図である。
【図７】本発明の光計測プローブ固定具の実施例２の構成を示す図である。
【図８】本発明の光計測プローブ固定具の実施例３の構成を示す図である。
【図９】本発明の光計測プローブ固定具を用いた一実施形態の生体光計測装置のブロック構成図を示す。
【図１０】一実施形態の生体光計測装置の表示画面の一例を示す図である。
【発明を実施するための形態】
【００１５】
以下、本発明の光計測プローブ固定具を実施例に基づいて説明する。
【実施例１】
【００１６】
図１（ａ）〜（ｃ）に示すように、本実施例１の光計測プローブ固定具１は、被検者の頭部２の外周に装着される固定具本体である半環状のフレーム１０及びフレーム１０の開き部を連結するベルト１７と、ホルダ２０と、フレーム１０の内側空間に架け渡され、ホルダ２０を保持する紐状（又は帯状）のホルダ保持部材であるホルダバンド２５とを備えて形成されている。
【００１７】
フレーム１０は、図１、図２に示すように、前頭部から側頭部に延在される左フレーム１０ａ及び右フレーム１０ｂと、左右フレーム１０ａ、ｂの前頭部側の一端を互いに連結するヒンジ１２とを備えて形成される。また、本実施例では、左右フレーム１０ａ、ｂの後頭部側の他端を着脱自在に連結する柔軟性を有するベルト１７を備え、これらにより環状の固定具本体が形成されている。また、左右フレーム１０ａ、ｂには、前頭部側の頭部高さ方向の位置に対して、側頭部の後端側の高さ方向の位置が低くなるように、曲折部１０ｃが設けられている。
【００１８】
ヒンジ１２は、前頭部の中央位置に配置され、左右フレーム１０ａ、ｂを連結ピン１３の周りに回動可能に連結している。左右フレーム１０ａ、ｂの後頭部側の端部には、図示していない耳の後の頭部２に接する曲げ部１４が備えられている。ベルト１７は、柔軟性を有する布製の帯状部材で形成され、左右フレーム１０ａ、ｂの曲げ部１４の表面に、例えば面ファスナ部１８を介して着脱可能に接続されるようになっている。なお、ベルト１７は、図示していないが、バックルなどの長さ調整具を備えている。
【００１９】
フレーム１０を構成する左右フレーム１０ａ、ｂは、樹脂製又は金属製の一定の剛性及び弾性を有する棒状（又は板状）の部材で形成され、頭部２に接する側は図３に示すように柔軟性及び摩擦力を有するクッション部材１１が、例えば一体に設けられている。なお、図示していないが、クッション部材１１の表面に同じ柔軟性及び摩擦力を有する部材からなる突起を設けることが好ましい。これにより、フレーム１０の頭部２への摩擦による固定力を一層大きくすることができる。
【００２０】
また、左右フレーム１０ａ、ｂの頭部の外面側には、図１、図２に示すように、それらの延在方向に沿って、適宜の間隔で、複数の突起１５が形成されている。突起１５は、図３に示す断面図のように、先端に例えば球状（又は円板状）の大径部１５ａが設けられている。また、曲げ部１４の頭部２に接する側の面には、柔軟性及び摩擦力を有する材料からなるクッション部材１４ａが設けられている。
【００２１】
ホルダ２０は、特許文献１〜３等に記載された公知のものを適用でき、例えばシリコーンゴムなどの柔軟な材料により形成された平板状又は頭部形状に応じた凹板状の基材２０ａを用いて形成されている。基材２０ａには、光計測プローブが装着される複数のプローブ装着部２１が形成されている。また、図示していないが、複数のプローブ装着部２１の間の基材２０ａには、適宜、穴などの開口が設けられ、必要に応じて頭皮を視認できるようになっている。
【００２２】
光計測プローブは、入射光ファイバと検出光ファイバからなる光ファイバ束３０の先端部に形成されている。プローブ装着部２１は、光計測プローブの先端部を挿入し、先端が頭部の皮膚面に近接又は接触するように装着される。また、特許文献１等に記載のように、プローブ装着部２１は、配列される複数の正格子の頂点（又は、菱形格子の頂点）に配置されている。図示例では、９個のプローブ装着部２１が設けられたホルダ２０を示しているが、本発明はこれに限られるものではなく、計測目的に応じた数のプローブ装着部２１を設けることができる。また、本実施例では、頭頂部の左右に配置される２つのホルダ２０を備えている。各ホルダ２０には、矩形の基材２０ａの４隅にホルダバンド２５が挿通される係合穴２３がそれぞれ穿設されている。
【００２３】
一方、ホルダバンド２５は、例えば樹脂製又は布製の紐状（又は帯状）に形成されている。なお、ホルダバンド２５は、伸縮性のある部材を用いることができる。本実施例では、２本のホルダバンド２５を左右フレーム１０ａ，ｂにより形成される半環状の内側空間に架け渡して固定されている。ホルダバンド２５は、一つのホルダ２０の１つの係合穴２３の下面側から上面側に挿通した後、他の係合穴２３の上面側から下面側に挿通し、更に他方のホルダ２０の１つの係合穴２３の下面側から上面側に挿通した後、他の係合穴２３の上面側から下面側に挿通させて設けられている。２本のホルダバンド２５の両端に輪２６が形成され、左右フレーム１０ａ，ｂの突起１５に輪２６を引掛けて固定される。さらに、ホルダバンド２５には、図４に示すように、長さを調整する長さ調整具２７が設けられている。長さ調整具２７は、周知の構成のものを適用することができる。
【００２４】
このように形成される実施例１の光計測プローブ固定具１の装着方法を説明する。光計測プローブ固定具１を頭部に装着する前に、２つのホルダ２０の異なる係合穴２３に２本のホルダバンド２５をそれぞれ挿通し、ホルダバンド２５の両端の輪２６を左右フレーム１０ａ，ｂの適当な突起１５に引掛けておく。次に、左右フレーム１０ａ，ｂの曲げ部１４に面ファスナ部１８で係着されているベルト１７を脱着するか、ベルト１７に設けられている長さを調整する例えばバックルを緩めて固定具本体の環を広げて頭部２に装着する。このとき、フレーム１０のヒンジ１２を前頭部に位置させ、曲げ部１４を耳の後の頭部に当て、ベルト１７の端部の面ファスナ部１８を曲げ部１４に係着し、あるいはバックルを締め付けて一定の張力にて固定具本体を頭部２に固定する。
【００２５】
次に、ホルダバンド２５の長さ調整具２７によりホルダバンド２５の長さを調整して、一定の張力によりホルダ２０を頭部２の皮膚面に押し当てる。次いで、ホルダ２０の位置、つまりプローブ装着部２１の位置が計測目的に適合した皮膚面に位置されているか否か確認する。頭部の前後方向の位置がずれている場合は、フレーム１０（１０ａ，１０ｂ）の前後方向に複数設けられた突起１５を選択して、ホルダバンド２５の輪２６を引掛けることにより、側頭部又は頭頂部におけるホルダ２０の前後方向の位置を調整する。
【００２６】
また、プローブ装着部２１の位置が頭部の上下方向にずれている場合は、ホルダバンド２５の長手方向に沿ってホルダ２０を移動して位置を調整する。つまり、ホルダ２０を掴んでホルダバンド２５の長手方向に力を加えると、ホルダ２０の係合穴２３内に挿通されているホルダバンド２５は係合穴２３内を滑って、ホルダ２０の位置を簡単に調整することができる。あるいは、ホルダ２０を所望の位置に押し付けておき、ホルダバンド２５を長手方向に引っ張る作業を繰り返すことにより、ホルダ２０の位置を簡単に調整することができる。このとき、長さ調整具２７によりホルダバンド２５の長さを調整しながら位置調整を行うとともに、ホルダバンド２５の張力を調整し、最終的にホルダ２０が所望の位置に調整する。
【００２７】
このようにして、ホルダ２０を目的とする位置に調整して、光計測プローブ固定具１に固定したら光ファイバ束３０の先端の光計測プローブをプローブ装着部２１に挿入して装着する。これにより、光計測を実行することができる。
【００２８】
以上説明したように、本実施例によれば、固定具本体を形成するフレーム１０の内側空間に架け渡して固定されたホルダバンド２５の長手方向に、移動可能にホルダ２０を係合させたことから、光計測プローブ固定具１を被検者の頭部２に装着したときホルダバンド２５の張力に応じた力で、ホルダ２０が頭部２の表面に密着される。これにより、光計測プローブが頭皮に接触又は近接して保持固定されるから、ホルダ２０の頭部への装着と固定を容易に行うことができる。また、ホルダ２０をホルダバンド２５の長手方向に移動させることができ、かつフレーム１０にホルダバンド２５を固定する位置をずらすことができるから、頭部２に対するホルダ２０の位置調整を容易に行うことができる。
【００２９】
これらのことから、本実施例によれば、熟練度にかかわらず、計測用プローブの位置を所望の頭部位置に確実に調整でき、計測データの再現性及び計測データの比較の信頼性を満たすことができる。さらに、頭部の大きさ、形状などの個体差に対応可能な汎用性を有するものとすることができる。また、装着時に被検者に与える苦痛や不快感を軽減することができる。
【００３０】
本実施例の先端に大径部を有する突起１５に代えて、図５に示すように、鉤型の引掛け具１６を用いることができる。また、ホルダバンド２５の両端に輪２６に代えて、図６に示すように、左右フレーム１０ａ、ｂに直接引掛け可能なフック２８を用いることができる。さらに、突起１５や引掛け具１６を用いることなく、ホルダバンド２５の両端をフレーム１１に直接巻付けて縛り付けるようにしてもよい。また、ホルダ２０にホルダバンド２５を移動可能に係合させるために、ホルダ２０に設けた係合穴２３に代えて、ホルダ２０の基材２０ａの上面の適宜位置に、ホルダバンド２５を挿通する係合穴が穿設された小片を起立させて設けてもよい。
【実施例２】
【００３１】
図７（ａ）〜（ｃ）に、本発明の実施例２の光計測プローブ固定具１を示す。本実施例が実施例１と相違する点は、フレーム４０の構成であり、その他の部品は実施例１と同一であることから、同一符号を付して説明を省略する。図示のように、フレーム４０は、側頭部に対応する左右フレーム４０ａ、ｂと、左右フレーム４０ａ、ｂの前頭部側の端部を連結する連結部材４３を備えて構成されている。連結部材４３は、可撓性又は柔軟性を有する部材であり、例えばゴム製などのチューブを棒状の左右フレーム４０ａ、ｂの両端部に被冠して、左右フレーム４０ａ、ｂを連結している。また、フレーム４０は、実施例１と同様に、左右フレーム４０ａ、ｂの側頭部の後頭部側の高さ方向の位置が、左右フレーム４０ａ、ｂの前頭部側の高さ方向の位置に対して低くなるように、曲折部４０ｃが設けられている。
【００３２】
左右フレーム４０ａ、ｂには、実施例１と同様に、複数の突起１５が設けられ、後頭部側の端部に曲げ部１４が設けられている。また、曲げ部１４の表面には、例えば面ファスナ部１８を介してベルト１７が着脱可能に接続されるようになっている。ただし、左フレーム４０ａ又は右フレーム４０ｂから連結部材４３を取り外し、左右フレーム４０ａ、ｂを開いて頭部２に装着できるから、ベルト１７を曲げ部１４に着脱可能に接続するようにしなくてもよい。さらに、フレーム４０を構成する左右フレーム４０ａ、ｂは、実施例１と同様に、樹脂製又は金属製の一定の剛性及び弾性を有する棒状（又は板状）の部材で形成され、頭部２に接する側は柔軟性及び摩擦力を有するクッション部材を例えば一体に設けることができる。また、クッション部材の表面に同じ柔軟性及び摩擦力を有する部材からなる突起を設けることが好ましい。
【００３３】
本実施例によれば、左右フレーム４０ａ、ｂの前頭部側の端部を、可撓性又は柔軟性を有するゴム等の連結部材４３で連結したことから、光計測プローブ固定具１の装着が一層容易になる。
【実施例３】
【００３４】
図８（ａ）〜（ｃ）に、本発明の実施例３の光計測プローブ固定具１を示す。本実施例が実施例１と相違する点は、固定具本体であるフレーム５０の構成であり、その他の部品は実施例１と同一であることから、同一符号を付して説明を省略する。本実施例のフレーム５０は、前頭部に対応する前頭部フレーム５２と一対の左右フレーム５０ａ、ｂが弾性を有する樹脂又は金属の部材により、一体に形成された半環状の固定具本体としたことを特徴とする。
【００３５】
また、フレーム５０は、実施例１と同様に、左右フレーム５０ａ、ｂの側頭部の後頭部側の高さ方向の位置が、前頭部フレーム５２の頭部高さ方向の位置に対し低くなるように、曲折部５０ｃが設けられている。また、左右フレーム５０ａ、ｂには、実施例１と同様に、複数の突起１５が設けられ、後頭部側の端部に曲げ部１４が設けられている。さらに、実施例１と同様に、フレーム５０を構成する前頭部フレーム５２と一対の左右フレーム５０ａ、ｂが一定の剛性及び弾性を有する棒状（又は板状）の部材で一体に形成され、頭部２に接する側は柔軟性及び摩擦力を有するクッション部材が一体に設けられている。また、クッション部材の表面に同じ柔軟性及び摩擦力を有する部材からなる突起を設けることが好ましい。
【００３６】
本実施例によれば、フレーム５０が弾性を有する樹脂又は金属の部材により、一体に形成されているから、その弾性力により一定の力で固定具本体であるフレーム５０を頭部２に固定することができる。これにより、実施例１，２のようなベルト１７を省略できる。
【００３７】
以上、実施例１〜３に基づいて本発明の光計測プローブ固定具１を説明したが、本発明の光計測プローブ固定具１は、これらに限られるものではない。例えば、フレームを用いることなく、固定具本体を柔軟性及び伸縮性を有する部材により、頭周に装着できる環状に一体形成してもよい。この場合、固定具本体の外周に装着時に基準とする目印、例えば前頭部の中心位置を示す目印を付しておくことにより、着脱を繰返して再計測する場合の計測データの再現性を満足させることができる。
【００３８】
図９に、本発明の光計測プローブ固定具１を用いた一実施形態の生体光計測装置のブロック構成図を示す。図において、光計測プローブ１０１は、上述した実施例のいずれかの光計測プローブ固定具１に保持されたホルダ２０に装着されて用いられる。光計測プローブ１０１には、変調半導体レーザ１０２にから発生された計測光が複数本の入射光ファイバ１０３によりそれぞれ導かれる。これにより、計測対象である頭部の皮膚面から頭部内部に計測光が入射される。頭部内部を散乱などにより透過した計測光は光計測プローブ１０１で検出され、複数本の検出光ファイバ１０４により光電変換素子である例えばフォトダイオード１０５に導かれる。フォトダイオードに導かれた検出光は電気信号に変換されて、ロックインアンプ１０６に入力される。ロックアンプ１０６は、入力される検出光信号を増幅し、各波長及び入射位置に対応する生体透過強度信号にそれぞれ分離する。ロックインアンプ１０６から出力される生体透過強度信号は、Ａ／Ｄ変換器１０７でディジタル信号に変換されて情報処理装置１０８に入力される。
【００３９】
情報処理装置１０８は、入力される生体透過強度信号を内部又は外部の記憶装置に格納する。また、記憶装置に格納された生体透過強度信号に基づいて、計測目的に対応した予め定められた演算処理を実行して所定の計測データを生成する。計測データは、例えばグラフ等の２次元画像あるいは計測目的に対応して色相を付した断層画像として生成され、表示部１０９に表示される。表示部1０９は、図１０に示す表示画面１２１を備え、例えば、計測データのグラフ１３１〜１３６を表示することができる。
【００４０】
一方、情報処理装置１０８には、キーボードなどの入力デバイスを備えた入力部１１０が接続されている。前述したように、頭部の光計測においては、光計測プローブ１０１が装着された位置、言い換えれば、ホルダ２０が装着された頭部の皮膚面の位置によって計測データが変動する。そこで、的確な計測を行うとともに、繰返して再計測を行って、計測データの再現性を満たすことが要望される。
【００４１】
そこで、本発明の光計測プローブ固定具１を用いれば、例えば実施例１のホルダ保持部材２５の両端が固定された固定具本体である左右フレーム１０ａ，ｂの突起１５が同じ位置であれば、光計測プローブ１０１の装着位置の再現性を満たすことができる。これに基づいて、本実施形態では、入力部１１０からホルダ保持部材２５の両端が固定された突起１５の位置をホルダ２０の固定位置情報として入力すると、その固定位置情報を計測データに対応付けて記憶装置に記憶させるようにしている。そして、計測データを表示部１０９に表示する際、光計測プローブ１０１のホルダ２０の固定位置情報を、図１０の表示領域１４１に表示することにより、次回の光計測時にホルダ２０の固定位置を同じ位置に調整できるから、光計測プローブ１０１の装着位置の再現性を満たした光計測を行うことができる。
【００４２】
以上、本発明を実施例に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００４３】
１  光計測プローブ固定具
１０  フレーム
１０ａ  左フレーム
１０ｂ  右フレーム
１１  クッション部材
１２  ヒンジ
１３  連結ピン
１４  曲げ部
１４ａ  クッション部材
１５  突起
１７  バンド
１８  面ファスナ部
２０  ホルダ
２１  プローブ装着部
２３  係合穴
２５  ホルダバンド
２６  輪
２７  長さ調整具
２８  フック
３０  光ファイバ束
【図１】
2016067482.tif 000003
【図２】
2016067482.tif 000004
【図３】
2016067482.tif 000005
【図４】
2016067482.tif 000006
【図５】
2016067482.tif 000007
【図６】
2016067482.tif 000008
【図７】
2016067482.tif 000009
【図８】
2016067482.tif 000010
【図９】
2016067482.tif 000011
【図１０】
2016067482.tif 000012